【手続補正書】
【提出日】令和2年2月25日(2020.2.25)
【手続補正１】
【補正対象書類名】特許請求の範囲
【補正対象項目名】全文
【補正方法】変更
【補正の内容】
【特許請求の範囲】
【請求項１】
焼灼カテーテルであって、細長い本体を含み、前記細長い本体は、前記細長い本体の遠位端部分に沿って分散された複数の温度測定デバイスを有する、焼灼カテーテルと、
標的組織を焼灼するのに十分な焼灼エネルギーを、前記細長い本体の前記遠位端部分に沿って配置された少なくとも１つのエネルギー送達部材に印加するように構成されたエネルギー源と、
少なくとも１つの処理デバイスであって、コンピュータ可読媒体に格納された特定の命令の実行時、
複数の時点で前記複数の温度測定デバイスの各々から温度測定値を取得することと、
各時点において、前記取得された温度測定値から、前記複数の温度測定デバイスの各々に関する温度応答の時間ベースの特徴を求めることと、
各時点において、前記複数の温度測定デバイスの少なくとも２つに関する前記温度応答の前記時間ベースの特徴の比較に少なくとも部分的に基づき、複数の向きオプションの１つから前記細長い本体の遠位端の向きを求めることと
を行うように構成された少なくとも１つの処理デバイスと
を含むシステム。
【請求項２】
標的領域に対する焼灼カテーテルの向きを求めるシステムであって、
焼灼カテーテルであって、細長い本体を含み、前記細長い本体は、前記細長い本体の遠位端に沿って分散された複数の温度測定デバイスを有する、焼灼カテーテルと、
標的組織を焼灼するのに十分な焼灼エネルギーを、前記細長い本体の前記遠位端に沿って配置された少なくとも１つのエネルギー送達部材に印加するように構成されたエネルギー源と、
少なくとも１つの処理デバイスであって、コンピュータ可読媒体に格納された特定の命令の実行時、
複数の時点で前記複数の温度測定デバイスの各々から温度測定値を取得することと、
各時点において、前記取得された温度測定値から、前記複数の温度測定デバイスの各々に関する温度応答の時間ベースの特徴を求めることと、
各時点において、前記複数の温度測定デバイスの少なくとも２つに関する前記温度応答の前記時間ベースの特徴の比較に少なくとも部分的に基づき、複数の向きオプションの１つから前記細長い本体の前記遠位端の向きを求めることと
を行うように構成された少なくとも１つの処理デバイスと
を含むシステム。
【請求項３】
標的領域に対する焼灼カテーテルの向きを求めるシステムであって、
焼灼カテーテルであって、細長い本体を含み、前記細長い本体は、前記細長い本体の遠位端に配置された第１の複数の温度測定デバイスおよび前記第１の複数の温度測定デバイスに対して近位側に離間された第２の複数の温度測定デバイスと、前記細長い本体の前記遠位端に配置された少なくとも１つの電極部材とを有する、焼灼カテーテルと、
標的組織を焼灼するのに十分な焼灼エネルギーを前記焼灼カテーテルの前記少なくとも１つの電極部材に印加するように構成されたエネルギー源と、
少なくとも１つの処理デバイスであって、コンピュータ可読媒体に格納された特定の命令の実行時、
複数の時点で前記第１の複数の温度測定デバイスの各々および前記第２の複数の温度測定デバイスの各々から温度測定値を取得することと、
各時点において、前記取得された温度測定値から、前記第１の複数の温度測定デバイスの各々および前記第２の複数の温度測定デバイスの各々について以前の時点から現在の時点までの温度測定値の変化率を求めることと、
各時点において、前記温度測定デバイスの少なくとも２つに関する前記温度測定値の変化率の比較に少なくとも部分的に基づき、前記温度測定値が定常状態に達する前に３つの向きオプションの１つから前記細長い本体の前記遠位端の向きを求めることと
を行うように構成された少なくとも１つの処理デバイスと
を含むシステム。
【請求項４】
標的領域に対する焼灼カテーテルの遠位端の向きを求める方法であって、
第１の期間における第１の複数の時点において、焼灼カテーテルの遠位端に沿って分散された複数の温度センサから温度を示す信号を受信するステップと、
前記複数の温度センサの各々について、前記第１の複数の時点の各々において温度測定値を求めるステップと、
前記求められた温度測定値に基づいて前記複数の温度センサの各々に関する開始温度値を計算するステップと、
前記第１の期間後の第２の期間における第２の複数の時点において、前記複数の温度センサから温度を示す信号を受信するステップと、
前記複数の温度センサの各々について、前記第２の複数の時点の各々において温度測定値を求めるステップと、
前記第２の複数の時点の各々における前記求められた温度値と前記複数の温度センサの各々に関する開始温度値との間の変化率を計算するステップと、
前記第２の複数の時点の各時点において、前記複数の温度センサの少なくとも２つの前記計算された変化率の比較に基づき、標的表面に対する前記焼灼カテーテルの前記遠位端の向きを求めるステップと
を含む方法。
【請求項５】
標的領域に対する焼灼カテーテルの遠位端の向きを求める方法であって、
ある期間にわたる複数の時点において、焼灼カテーテルの遠位端に沿って分散された複数の温度センサから温度を示す信号を受信するステップと、
前記複数の温度センサの各々について、前記複数の時点の各々において温度測定値を求めるステップと、
前記複数の時点の各々における前記求められた温度値と前記複数の温度センサの各々に関する開始温度値との間の変化率を計算するステップと、
前記複数の時点の各時点において、前記複数の温度センサの少なくとも２つの前記計算された変化率の比較に基づき、標的表面に対する前記焼灼カテーテルの前記遠位端の向きを求めるステップと
を含む方法。
【請求項６】
標的領域に対する焼灼カテーテルの遠位端の向きを求める方法であって、
ある期間にわたる複数の時点において、焼灼カテーテルの遠位端に沿って分散された複数の温度センサから温度を示す信号を受信するステップと、
前記複数の温度センサの各々について、前記複数の時点の各々において温度測定値を求めるステップと、
前記複数の温度センサの各々について、前記複数の時点の各々において温度応答の特徴を求めるステップと、
前記複数の時点の各時点において、前記複数の温度センサの少なくとも２つの前記温度応答の前記特徴の比較に基づき、標的表面に対する前記焼灼カテーテルの前記遠位端の向きを求めるステップと
を含む方法。
【請求項７】
標的領域に対する焼灼カテーテルの遠位端の向きを求める方法であって、
第１の期間にわたる第１の複数の時点において、焼灼カテーテルの遠位端に沿って分散された複数の温度センサから温度を示す信号を受信するステップと、
前記複数の温度センサの各々について、前記第１の複数の時点の各々において温度測定値を求めるステップと、
前記第１の複数の時点の各時点において、前記求められた温度測定値に適用された第１の向き基準の組に基づき、標的表面に対する前記焼灼カテーテルの前記遠位端の向きを求めるステップと、
前記第１の期間後の第２の期間にわたる第２の複数の時点において、前記複数の温度センサから温度を示す信号を受信するステップと、
前記複数の温度センサの各々について、前記第２の複数の時点の各々において温度測定値を求めるステップと、
前記第２の複数の時点の各時点において、前記求められた温度測定値に適用された第２の向き基準の組に基づき、標的表面に対する前記焼灼カテーテルの前記遠位端の向きを求めるステップであって、前記第２の向き基準の組は、前記第１の向き基準の組と異なる、ステップと
を含む方法。